(57)【要約】暖房、換気及び空調（Ｈｅａｔｉｎｇ  Ｖｅｎｔｉｌａｔｉｏｎ  ｏｒ  Ａｉｒ−Ｃｏｎｄｉｔｉｏｎｉｎｇ（ＨＶＡＣ））のための方法及びコントローラであって、コントローラは、プロセッシングユニット及びストレージデバイスを有し、前記コントローラは、ＨＶＡＣユニットの状態及びＨＶＡＣユニットの動作の対と、測定値とのマッピングを取得するためのマッピング取得モジュールと、ＨＶＡＣユニットの現在の状態に基づいてＨＶＡＣユニットにより取られる動作を決定するための動作決定部と、ＨＶＡＣユニットへ送信されたときにＨＶＡＣユニットに動作を行わせるように構成される合成測定を、マッピングから取得するための測定決定部と、合成測定をＨＶＡＣユニットへ送信するためのＨＶＡＣ通信モジュールと、を備える。【選択図】図３
2016530475.tif 000002
【特許請求の範囲】
【請求項１】
プロセッシングユニット及びストレージデバイスを有するコントローラであって、
暖房、換気及び空調（Ｈｅａｔｉｎｇ  Ｖｅｎｔｉｌａｔｉｏｎ  ｏｒ  Ａｉｒ−Ｃｏｎｄｉｔｉｏｎｉｎｇ（ＨＶＡＣ））ユニットの状態及び前記ＨＶＡＣユニットの動作の対と、測定値とのマッピングを取得するためのマッピング取得モジュールと、
前記ＨＶＡＣユニットの現在の状態に基づいて前記ＨＶＡＣユニットにより取られる動作を決定するための動作決定部と、
前記ＨＶＡＣユニットへ送信されたときに前記ＨＶＡＣユニットに前記動作を行わせるように構成される合成測定値を、前記マッピングから取得するための測定決定部と、
前記合成測定値を前記ＨＶＡＣユニットへ送信するためのＨＶＡＣ通信モジュールと、
を備えるコントローラ。
【請求項２】
前記ＨＶＡＣ通信モジュールは、ｉＦｅｅｌメッセージを前記ＨＶＡＣユニットへ送信するように構成される請求項１に記載のコントローラ。
【請求項３】
前記ＨＶＡＣユニットは、第１の種類のメッセージを受信したときに可聴音を発するように構成され、前記ＨＶＡＣユニットは、第２の種類のメッセージを受信したときに可聴音を発することを防ぐように構成され、前記ＨＶＡＣ通信モジュールは、前記第２の種類のメッセージを用いて、前記合成測定値を前記ＨＶＡＣユニットに送信するように構成される請求項１に記載のコントローラ。
【請求項４】
前記合成測定値は、温度測定値である請求項１に記載のコントローラ。
【請求項５】
前記合成測定値は、湿度測定値である請求項１に記載のコントローラ。
【請求項６】
前記マッピングは、第２のマッピングの逆マッピングとして決定され、前記第２のマッピングは、前記ＨＶＡＣユニットの状態及び動作に対する測定値の対をマッピングする請求項１に記載のコントローラ。
【請求項７】
１以上のセンサを更に備え、前記動作決定モジュールは、前記１以上のセンサからの測定値に基づいて前記動作を決定するように構成される請求項１に記載のコントローラ。
【請求項８】
前記動作決定モジュールは、前記ＨＶＡＣユニットと配置されるセンサから受信された測定値に基づいて前記動作を決定するように構成される請求項１に記載のコントローラ。
【請求項９】
前記ＨＶＡＣユニットの推定状態を監視するように構成されるＨＶＡＣ状態モニタを更に備える請求項１に記載のコントローラ。
【請求項１０】
コンピュータ装置によって行われる方法であって、
暖房、換気及び空調（Ｈｅａｔｉｎｇ  Ｖｅｎｔｉｌａｔｉｏｎ  ｏｒ  Ａｉｒ−Ｃｏｎｄｉｔｉｏｎｉｎｇ（ＨＶＡＣ））ユニットの状態及び前記ＨＶＡＣユニットの動作の対と、測定値とのマッピングを取得するステップと、
プロセッサにより、前記ＨＶＡＣユニットの現在の状態に基づいて前記ＨＶＡＣユニットにより取られる動作を決定するステップと、
前記ＨＶＡＣユニットへ送信されたときに前記ＨＶＡＣユニットに前記動作を行わせるように構成される合成測定値を、前記マッピングから取得するステップと、
前記合成測定値を前記ＨＶＡＣユニットへ送信するステップと、
を備える方法。
【請求項１１】
前記送信するステップは、ｉＦｅｅｌメッセージを前記ＨＶＡＣユニットへ送信することを含む請求項１０に記載の方法。
【請求項１２】
前記ＨＶＡＣユニットは、第１の種類のメッセージを受信したときに可聴音を発するように構成され、前記ＨＶＡＣユニットは、第２の種類のメッセージを受信したときに可聴音を発することを防ぐように構成され、前記ＨＶＡＣ通信モジュールは、前記第２の種類のメッセージを用いて、前記合成測定値を前記ＨＶＡＣユニットに送信するように構成される請求項１０に記載の方法。
【請求項１３】
前記合成測定値は、温度測定値である請求項１０に記載の方法。
【請求項１４】
前記合成測定値は、湿度測定値である請求項１０に記載の方法。
【請求項１５】
前記マッピングは、第２のマッピングの逆マッピングとして決定され、前記第２のマッピングは、前記ＨＶＡＣユニットの状態及び動作に対する測定値の対をマッピングする請求項１０に記載の方法。
【請求項１６】
前記動作を決定するステップは、センサによる少なくとも１つの測定値、及び前記ＨＶＡＣユニットの現在の状態に基づいて、前記動作を決定することを含み、前記センサは、前記ＨＶＡＣユニットの外部にある請求項１０に記載の方法。
【請求項１７】
前記センサは、前記ＨＶＡＣユニットと配置される請求項１６に記載の方法。
【請求項１８】
前記ＨＶＡＣユニットの現在の状態を監視するためにセンサを用いるステップを更に備える請求項１０に記載の方法。
【発明の詳細な説明】
【技術分野】
【０００１】
関連出願の相互参照
本発明は、２０１３年８月１８日に出願された、発明の名称“Ａ  ｍｅｔｈｏｄ  ｆｏｒ  ｓｅａｍｌｅｓｓｌｙ  ｒｅｐｌａｃｉｎｇ  ａ  ｃｏｎｔｒｏｌ  ａｌｇｏｒｉｔｈｍ  ｏｆ  ａｎ  ＨＶＡＣ  ｓｙｓｔｅｍ  ｕｓｉｎｇ  ｏｎｌｙ  ＩＲ  ｃｏｍｍａｎｄｓ”の米国仮出願番号第６１／８６７，０７３号、及び２０１４年５月１４日に出願された、発明の名称“Ａ  ｃｏｍｐｌｅｔｅｌｙ  ｅｘｔｅｒｎａｌ  ａｎｄ  ｃａｂｌｅ  ｆｒｅｅ  ｄｅｖｉｃｅ  ａｎｄ  ｓｙｓｔｅｍ  ｔｈａｔ  ｃｏｎｎｅｃｔｓ  ａｉｒ  ｃｏｎｄｉｔｉｏｎｅｒｓ  ｔｏ  ｔｈｅ  ｉｎｔｅｒｎｅｔ  ａｎｄ  ｕｓｅｓ  ｓｅｎｓｏｒｙ  ｄａｔａ  ｔｏ  ｐｒｏｖｉｄｅ  ｓｕｐｅｒｉｏｒ  ｃｏｍｆｏｒｔ  ａｎｄ  ｅｎｅｒｇｙ  ｓａｖｉｎｇｓ”の米国仮出願番号第６１／９９２，９９３号の利益を主張するものであり、その両方が、それらの全体を参照により本明細書に援用される。
【０００２】
本開示は、一般的に、暖房、換気及び空調（Ｈｅａｔｉｎｇ  Ｖｅｎｔｉｌａｔｉｏｎ  ｏｒ  Ａｉｒ−Ｃｏｎｄｉｔｉｏｎｉｎｇ（ＨＶＡＣ））システムの制御に関するものであり、特に、既存のＨＶＡＣシステムの制御システムを置き換えることに関するものである。
【背景技術】
【０００３】
暖房、換気及び空調（Ｈｅａｔｉｎｇ  Ｖｅｎｔｉｌａｔｉｏｎ  ｏｒ  Ａｉｒ−Ｃｏｎｄｉｔｉｏｎｉｎｇ（ＨＶＡＣ））システムは、通常、購入及び搭載され、その後、長年使用される。よって、技術が進歩及び改善され、より経済的かつより効率の良いＨＶＡＣシステムが利用可能となっても、多くの古いユニットが用いられているままであり、順最適な態様で作動し、よって、エネルギーの浪費及び所有者により多くの費用を負担させる。
【０００４】
一部のユニットには、それらの制御アルゴリズムを更新する手法が設けられるが、このようなユニットは稀であり、更新は扱いにくい。一方、制御アルゴリズムは、ユニット全体を置き換えることによってのみ変更される。
【０００５】
ユニバーサルリモートコントロールを用いることのような一部の解決手段は、ＨＶＡＣシステムの専用リモートコントロールの機能を再現する。しかし、コンプレッサーのオン／オフ、ファンの速度等のようなユニットの制御パラメータ、又は温度のようなユニットによって検知される測定値へのダイレクトアクセスを有さずに、制御アルゴリズムを置き換えることは困難である。よって、冷却するときに、例えば、コンプレッサーを停止する３０℃、及びコンプレッサーを起動する１６℃にＨＶＡＣ目標温度を設定する（暖房時には逆に設定する）が、これは、通常、最適な結果を提供しない。
【０００６】
また、リモートコントロールは、ユーザによって使用されるために設計されているため、ＨＶＡＣユニットは、コマンドがＨＶＡＣユニットへ送信されるときに、ユーザに兆候を提供するために、通常、可聴確認音を生じる。よって、ＨＶＡＣの制御アルゴリズムを置き換えるためのリモートコントロールコマンドを用いることにより、各コマンド用のこのような音を生じ、これは、特にユーザが就寝時にユーザを不快にする場合がある。
【０００７】
よって、ユニット全体を置き換えず、かつ不快な音を生じずに、より心地よく、よりエネルギー効率のよい動作を提供するために、ＨＶＡＣシステムの制御を置き換えるための方法及びシステムの需要が存在する。
【発明の概要】
【０００８】
本発明の主題の１つの例示的な実施形態は、プロセッシングユニット及びストレージデバイスを有するコントローラであって、暖房、換気及び空調（Ｈｅａｔｉｎｇ  Ｖｅｎｔｉｌａｔｉｏｎ  ｏｒ  Ａｉｒ−Ｃｏｎｄｉｔｉｏｎｉｎｇ（ＨＶＡＣ））ユニットの状態及び前記ＨＶＡＣユニットの動作の対と、測定値とのマッピングを取得するためのマッピング取得モジュールと、前記ＨＶＡＣユニットの現在の状態に基づいて前記ＨＶＡＣユニットにより取られる動作を決定するための動作決定部と、前記ＨＶＡＣユニットへ送信されたときに前記ＨＶＡＣユニットに前記動作を行わせるように構成される合成測定値を、前記マッピングから取得するための測定決定部と、前記合成測定値を前記ＨＶＡＣユニットへ送信するためのＨＶＡＣ通信モジュールと、を備えるコントローラである。前記コントローラでは、前記ＨＶＡＣ通信モジュールは、任意に、ｉＦｅｅｌメッセージを前記ＨＶＡＣユニットへ送信するように構成される。前記コントローラでは、前記ＨＶＡＣユニットは、任意に、第１の種類のメッセージを受信したときに可聴音を発するように構成され、前記ＨＶＡＣユニットは、第２の種類のメッセージを受信したときに可聴音を発することを防ぐように構成され、前記ＨＶＡＣ通信モジュールは、前記第２の種類のメッセージを用いて、前記合成測定値を前記ＨＶＡＣユニットに送信するように構成される。前記コントローラでは、任意に、前記合成測定値は、温度測定値である。前記コントローラでは、任意に、前記合成測定値は、湿度測定値である。前記コントローラでは、前記マッピングは、任意に、第２のマッピングの逆マッピングとして決定され、前記第２のマッピングは、前記ＨＶＡＣユニットの状態及び動作に対する測定値の対をマッピングする。前記コントローラは、１以上のセンサを更に備えてもよく、前記動作決定モジュールは、前記１以上のセンサからの測定値に基づいて前記動作を決定するように構成される。前記コントローラでは、前記動作決定モジュールは、任意に、前記ＨＶＡＣユニットと配置されるセンサから受信された測定値に基づいて前記動作を決定するように構成される。前記コントローラは、前記ＨＶＡＣユニットの推定状態を監視するように構成されるＨＶＡＣ状態モニタを更に備えてもよい。
【０００９】
本発明の主題の別の例示的な実施形態は、コンピュータ装置によって行われる方法であって、暖房、換気及び空調（Ｈｅａｔｉｎｇ  Ｖｅｎｔｉｌａｔｉｏｎ  ｏｒ  Ａｉｒ−Ｃｏｎｄｉｔｉｏｎｉｎｇ（ＨＶＡＣ））ユニットの状態及び前記ＨＶＡＣユニットの動作の対と、測定値とのマッピングを取得するステップと、プロセッサにより、前記ＨＶＡＣユニットの現在の状態に基づいて前記ＨＶＡＣユニットにより取られる動作を決定するステップと、前記ＨＶＡＣユニットへ送信されたときに前記ＨＶＡＣユニットに前記動作を行わせるように構成される合成測定値を、前記マッピングから取得するステップと、前記合成測定値を前記ＨＶＡＣユニットへ送信するステップと、を備える方法である。前記方法では、前記送信するステップは、任意に、ｉＦｅｅｌメッセージを前記ＨＶＡＣユニットへ送信することを含む。前記方法では、前記ＨＶＡＣユニットは、任意に、第１の種類のメッセージを受信したときに可聴音を発するように構成され、前記ＨＶＡＣユニットは、任意に、第２の種類のメッセージを受信したときに可聴音を発することを防ぐように構成され、前記ＨＶＡＣ通信モジュールは、任意に、前記第２の種類のメッセージを用いて、前記合成測定値を前記ＨＶＡＣユニットに送信するように構成される。前記方法では、前記合成測定値は、任意に、温度測定値である。前記方法では、前記合成測定値は、任意に、湿度測定値である。前記方法では、前記マッピングは、任意に、第２のマッピングの逆マッピングとして決定され、前記第２のマッピングは、前記ＨＶＡＣユニットの状態及び動作に対する測定値の対をマッピングする。前記方法では、前記動作を決定するステップは、任意に、センサによる少なくとも１つの測定値、及び前記ＨＶＡＣユニットの現在の状態に基づいて、前記動作を決定することを含み、前記センサは、任意に、前記ＨＶＡＣユニットの外部にある。前記方法では、前記センサは、任意に、前記ＨＶＡＣユニットと配置される。前記方法は、前記ＨＶＡＣユニットの現在の状態を監視するためにセンサを用いるステップを更に備えてもよい。
【図面の簡単な説明】
【００１０】
本発明の主題は、対応する又は同様の数字又は文字が対応する又は同様の構成要素を示す図面と共に得られる以下の詳細な説明からより完全に理解及び評価されるであろう。特に言及しないかぎり、図面は、本開示の例示的な実施形態又は態様を提供し、本開示の範囲を限定するものではない。
【００１１】
【図１】図１は、本発明の主題の一部の例示的な実施形態に係る、ＨＶＡＣユニットを有する環境の概要図を示す。
【図２】図２は、本発明の主題の一部の例示的な実施形態に係る、ＨＶＡＣユニットの動作を制御するための方法のフローチャート図である。
【図３】図３は、本発明の主題の一部の例示的な実施形態に係る、ＨＶＡＣユニットの態様を制御するためのコントローラの概要図である。
【発明を実施するための形態】
【００１２】
本発明の主題により扱われる１つの技術的な課題は、制御アルゴリズム及びＨＶＡＣユニットの機構を置き換えることの必要性である。一部の場合には、制御アルゴリズム及びＨＶＡＣユニットの機構を置き換えることにより、ユニット全体を置き換えずに、よりエネルギー効率の良い制御を可能にする。一部の場合には、新たな制御アルゴリズム及びＨＶＡＣユニットの機構は、ＨＶＡＣユニットの付近にいる人を目覚めさせる可聴音又は他の感覚的な合図をＨＶＡＣが生じずに、ＨＶＡＣユニットを制御するように構成されてもよい。一部の場合には、スマートグリッドシステムは、ＨＶＡＣユニットの制御を変更するために決定してもよい。追加又は代替で、制御アルゴリズムは、ＨＶＡＣユニットを現在使用している人にパーソナライズされうる。
【００１３】
一部のＨＶＡＣユニットは、例えば、リモートコントロールによって発せられる赤外線（Ｉｎｆｒａ  Ｒｅｄ（ＩＲ））信号を介したコマンドの受信に応じて、可聴音（例えば、“ビー”）を発するように構成される。可聴音は、コマンドが受信され、ＨＶＡＣユニットによって処理されることをユーザに示してもよい。しかし、可聴音及び他の同様の感覚的な合図は、送信されるコマンドがユーザによって開始されないときには望まれない。一部の例示的な実施形態では、ＨＶＡＣユニットは、表示を変える、ＬＥＤをオン又はオフする等のようなユーザを妨害しないいくつかの合図を発してもよい。
【００１４】
多くのＨＶＡＣユニットは、ｉＦｅｅｌ機能（ｉＦｅｅｌ  ｆｅａｔｕｒｅ）（“Ｆｏｌｌｏｗ  ｍｅ”としても知られる）を有する。本開示では、ｉＦｅｅｌ機能は、ＨＶＡＣユニットの動作に適している温度又は別のパラメータが、ユニット自体では測定されないが、いくつかの別の位置で測定され、ＨＶＡＣユニットへ送信される機能である。本発明の主題によれば、ＨＶＡＣユニットは、リモートコントロールからのコマンドのような他の非ｉＦｅｅｌ送信を受信したときに、その動作に対する別のものとは対照的なｉＦｅｅｌ機能の一部として送信されたパラメータの受信に応じて可聴音又は感覚的な合図を発しないように構成される。
【００１５】
一部の例示的な実施形態では、測定されたパラメータの送信は、ファンの速度の変更、目標温度の変更等のようなＨＶＡＣユニットへの別のコマンドを伴ってもよい。一部の例示的な実施形態では、測定されたパラメータは、任意の位置で測定され、かつＨＶＡＣユニット自体では測定されない。当該位置は、固定されてもよく又は移動してもよい。一部の例示的な実施形態では、ＨＶＡＣユニットのリモートコントロールは、パラメータを測定し、かつコマンドをＨＶＡＣユニットへ無線送信するように構成されてもよい。一部の例示的な実施形態では、ＨＶＡＣユニットは、現在の状態、測定値、及びその制御アルゴリズムに基づいて、その独自の動作を制御してもよい。ｉＦｅｅｌ機能に基づいてＨＶＡＣユニットへ送信されるメッセージは、ｉＦｅｅｌメッセージとも呼ばれてもよい。
【００１６】
１つの技術的な解決手段は、送信された測定値がユニットを所望の態様と仮定するように、ｉＦｅｅｌプロトコルを用いて、シミュレート、合成又は“偽の（ｆｏｒｇｅｄ）”測定値をＨＶＡＣユニットへ送信するためにｉＦｅｅｌ機能を用いる制御ユニットを提供することである。よって、ｉＦｅｅｌメッセージは、センサによる実際の測定値を反映しないが、要求又は望まれるようなＨＶＡＣユニットの反応を生じるために、生成される異なる測定値を反映する場合もある。
【００１７】
伝えられた測定値（例えば、伝えられた温度）及び目標（例えば、目標温度）を提供する特定のｉＦｅｅｌメッセージを与えると、特定のＨＶＡＣユニットモデルの応答は、予め決定されてもよい。例えば、測定された温度が１７℃であるが、目標温度が２５℃であるｉＦｅｅｌメッセージを送信することにより、（例えば、冷却モードのとき）ＨＶＡＣユニットにコンプレッサーのモータを自動的に停止させてもよい。一部の場合には、ＨＶＡＣユニットは、このような場合にファンの速度を低速に自動的に設定してもよい。この動作は、ｉＦｅｅｌ機能を用いることにより、他のユーザによって感知されやすい可聴音を発せずに、又は他の合図を提供せずに行われてもよい。
【００１８】
よって、ＴがｉＦｅｅｌメッセージで提供される測定値（例えば、温度、湿度等）を含み、ＳがＨＶＡＣユニットの現在の状態である（Ｔ，Ｓ）の対が与えられると、同一モデルの全てのユニットは、Ｒで表される予め決定された態様で応答するように構成されてもよい。一部の場合には、予め決定された態様は、制御アルゴリズム及びＨＶＡＣユニットの機構により決定されてもよい。マッピング（Ｔ，Ｓ）−＞Ｒは、ＨＶＡＣユニットの各モデルに対して取得されうる。一部の実施形態では、マッピングは、特定のユニット態様の観察を入力するユーザによって提供されてもよい。マッピングは、ユーザがｉＦｅｅｌ及び目標測定値、及び例えば、コンプレッサーのオン／オフ状態、ファンの速度、ファンの向き、フラップの移動等のような要求される態様を選択しうるユーザインターフェースを用いて提供されてもよい。
【００１９】
別の実施形態では、マッピングは、事前に提供され、コンピュータ可読フォーマットで保持されてもよい。一例として、マッピングは、コンピュータ可読フォーマットにおけるコンピュータ可読ファイルマッピング保持に記憶されてもよい。追加又は代替で、マッピングは、データストレージに保持されてもよい。
【００２０】
更に別の実施形態では、マッピングは、ＨＶＡＣユニットを特定状態Ｓに手動又は自動的に設定し、測定値Ｔを伝え、仮定された態様又は態様の変更とも呼ばれる応答Ｒを観察することにより、取得されてもよい。
【００２１】
マッピング（Ｔ，Ｓ）−＞Ｒが利用可能になると、逆マッピングが決定されてもよく、各対Ｓ及びＲについて、Ｓは現在の状態であり、Ｒは要求される態様又は仮定される態様の変更であり、対応するＴ、つまり、伝えられる測定値は決定されてもよい。一例として、所望の態様が、コンプレッサーのオフ、ファンの速度を低速にすること、及び２５℃の目標温度を含むＨＶＡＣユニットの現在の状態であり、動作モードが冷却モードである場合、マッピングされる測定値は、１７℃である。一部の例示的な実施形態では、マッピング（Ｔ，Ｓ）−＞Ｒは、単射（ｉｎｊｅｃｔｉｖｅ  ｆｕｎｃｔｉｏｎ）でなくてもよい。一部の場合には、ＨＶＡＣが状態Ｓであるときに、同一の要求される態様Ｒにマッピングされるいくつかの別の測定値Ｔ１，Ｔ２，．．．，ＴＮがあってもよい。逆マッピングは、（Ｓ，Ｒ）を別の測定値のセットの単一測定値にマップしてもよい。
【００２２】
一部の例示的な実施形態では、制御アルゴリズムが、ＨＶＡＣユニットの態様（例えば、モーターをオン／オフする、ファンを高速／低速にする、フラップの向きを変える又はＨＶＡＣユニットの動作に影響を与える）に適用される所望の変更を決定するとき、現在の状態及び要求される態様の組み合わせに対して逆マッピングでサーチしてもよい。組み合わせが見つかると、この組み合わせに関連付けられた測定値が検索される。実際の測定値を反映する必要がない現在の状態及び要求される態様の組み合わせは、ＨＶＡＣユニットが、実際に、所望の態様を仮定しつつ、可聴音を生成しないように、ｉＦｅｅｌメッセージによって送信される。
【００２３】
一部の実施形態では、ＨＶＡＣユニットの現在の状態は、ｉＦｅｅｌメッセージによって送信されるためには要求されない。これらの実施形態では、決定された測定値のみが送信されるが、温度決定アルゴリズムは、内部的に、ＨＶＡＣユニットの状態の経過を追い、ＨＶＡＣユニットの状態を使用してもよい。
【００２４】
別の実施形態及びＨＶＡＣユニットがこのプロトコルをサポートする場合には、測定値ではなく要求される態様は、ｉＦｅｅｌメッセージによってＨＶＡＣユニットへ送信され、ＨＶＡＣユニットによって推定されてもよい。要求される態様は、要求される態様を決定するユニット又は外部ユニットのような任意の制御ユニットから送信されてもよい。
【００２５】
ここで、図１を参照すると、開示される発明の主題の一部の例示的な実施形態に係る、制御されるＨＶＡＣユニットを有する環境の概要図を示す。
【００２６】
図１は、ＨＶＡＣユニット１０４が搭載される部屋１００の概要図を示す。ＨＶＡＣユニット１０４は、壁の高いところのような、日常的にアクセスするのに不便な領域を含む部屋のどこにでも搭載されてもよい。ＨＶＡＣユニット１０４は、その動作が部屋１００の環境に影響しないように、典型的には部屋１００の外側に搭載されるコンプレッサーユニット（図示せず）又は別の作動ユニットに接続されてもよい。コンプレッサーユニットは、屋根、ビルの外壁、テラス等のような外側位置に搭載されてもよい。
【００２７】
ＨＶＡＣユニット１０４は、オン／オフＬＥＤ１０８と、温度ディスプレイ、タイマ、温度制御装置等のような、取りうる追加ディスプレイ及び制御装置と、を有するコントロールパネル１０６を備えてもよい。コントロールパネル１０６、又はＨＶＡＣユニット１０４の任意の他の位置には、赤外線（ＩＲ）受信機、無線周波数（ＲＦ）受信機、超音波受信機等のような受信機も備えてもよい。一部の例示的な実施形態では、コントロールパネル１０６は、ＷｉＦｉ又はＢｌｕｅｔｏｏｔｈ（登録商標）を用いてスマートフォンから制御されてもよく、又はインターネットから制御されてもよい。一部の例示的な実施形態では、コントロールパネル１０６は、リモートコントロール１１６又はリモート部１３０のようなリモートソースから制御されてもよい。
【００２８】
ＨＶＡＣユニット１０４は、温度センサ、湿度センサ等のような１以上のセンサも備えてもよい。
【００２９】
リモートコントロール１１６は、開始／停止、目標温度設定、タイマー設定等のようなコマンドをユーザが手動で送信可能にするための制御装置を有してもよい。リモートコントロール１１６は、ＩＲ送信機、ＲＦ送信機等を用いてコマンドを送信してもよい。ＨＶＡＣユニット１０４は、リモートコントロールからのコマンド１２０と共にセンサからの測定値を用いてもよく、例えば、そのコントローラにより、例えば、コンプレッサーを開始／停止する、ファンの速度を高い／低いに設定する、フラップの向きを設定する等のユニットをどのように動作するかを決定する。
【００３０】
ＨＶＡＣユニット１０４は、センサ測定値が、ユニット自体に備えられるセンサからは受信されないが、他の場所から受信するｉＦｅｅｌ機能を実装してもよい。一部の場合には、センサ測定値は、リモートコントロール１１６、リモート部１３０等で備えられるセンサの測定値であってもよい。この構成では、センサ測定値は、ｉＦｅｅｌメッセージを用いてＨＶＡＣユニット１０４へ送信されてもよい。ｉＦｅｅｌメッセージは、コマンドを送信するために用いられるＨＶＡＣユニット１０４とリモートコントロール１１６との通信プロトコル、又はＨＶＡＣユニット１０４によりサポートされる別の通信プロトコルを用いて送信されてもよい。センサは、リモートコントロール以外の位置に搭載されてもよく、測定値は、リモートコントロールによって受信され、ＨＶＡＣユニット１０４へ送信されてもよいことが理解されるであろう。
【００３１】
典型的には、リモートコントロール１１６を用いてユーザによって開始されるコマンドは、ＨＶＡＣユニット１０４に“ビー（ｂｅｅｐ）”のような可聴音を発生させるが、ｉＦｅｅｌメッセージの送信は、ＨＶＡＣユニット１０４に音を開始させない。
【００３２】
本発明の主題の一部の実施形態によれば、リモートコントロール１１６は、ｉＦｅｅｌメカニズムを用いてもよいが、測定された温度のような測定値を送信することに代えて、コントローラは、まず、ＨＶＡＣユニット１０４の要求される態様を決定する。リモートコントロール１１６は、その後、温度又は別のセンサ値のような（測定ではなく）決定された値を送信してもよく、要求される態様をＨＶＡＣユニット１０４に推定させる。追加又は代替的に、リモート部１３０は、ＨＶＡＣユニット１０４を制御するためにｉＦｅｅｌメッセージを送信してもよい。一部の場合には、リモート部１３０は、ユーザがＨＶＡＣユニット１０４へコマンドを提供することを可能にするためのキーボードのようなユーザインターフェースを備えていなくてもよい。一部の場合には、リモート部１３０は、ウェブサーバのような別のデバイスに接続されてもよく、ＨＶＡＣユニット１０４に対する所望の態様を決定するために有益な情報を受信する。一部の例示的な実施形態では、ユーザは、リモート部１３０を介してＨＶＡＣユニット１０４へコマンドを送信するために、モバイルフォン、モバイルデバイス等のような外部装置を使用してもよい。
【００３３】
一部の例示的な実施形態では、リモート部１３０は、１以上のセンサを備えてもよい。一部の例示的な実施形態では、リモート部１３０は、温度センサを備えてもよい。追加又は代替的に、リモート部１３０は、湿度センサを備えてもよい。追加又は代替的に、リモート部１３０は、振動センサを備えてもよい。圧電盤のような振動センサは、ＨＶＡＣユニット１０６の現在のファンの速度を決定するためにＨＶＡＣユニット１０６に搭載されてもよい。追加又は代替的に、リモート部１３０は、部屋１００に配置される人を示す音を検出するために用いられてもよいマイクロフォンを備えてもよい。マイクロフォンは、また、ＨＶＡＣユニット１０６が、リモートコントロール１１６のような別のソースからコマンドを受信するときに、ＨＶＡＣユニット１０６によって発せられる可聴音を検出するために用いられてもよく、それにより、ＨＶＡＣユニット１０６の現在の状態を決定することを補助する。追加又は代替的に、リモート部１３０は、人が部屋１００にいるかどうかを判定することを補助し、夜間モードで動作すべきかどうかを検出してもよい光センサを備えてもよい。追加又は代替的に、リモート部１３０は、パッシブ型赤外線検出器、超音波検出器、ブルートゥース低エネルギー（Ｂｌｕｅｔｏｏｔｈ（登録商標）  Ｌｏｗ  Ｅｎｅｒｇｙ（ＢＬＥ））近接センサ等のような近接センサを備えてもよい。近接センサは、人が部屋１００にいるかどうかを検出するために用いられてもよい。
【００３４】
ここで、図２を参照すると、開示される発明の主題の一部の実施形態に係る、ＨＶＡＣユニットの動作を制御するための方法のフローチャート図を示す。当該方法は、制御アルゴリズムが、ＨＶＡＣユニット自体の任意の部品を置き換えることなく、行進又は促進されるように、例えば、図１のリモートコントロール１１６のようなＨＶＡＣユニットの外部の制御ユニットによって行われてもよい。
【００３５】
ステップ２００では、マッピングは、測定値（例えば、温度）及びＨＶＡＣユニットの現在の状態から取得されてもよく、これは、ＨＶＡＣユニットの要求される態様、例えば、コンプレッサーの開始又は停止、コンプレッサーにコンプレッサーモータの速度を変更させる（例えば、インバータＡ／Ｃで）、ファンの速度を変える、ＨＶＡＣユニットのフラップの向きを変える等に対する、動作のモード、現在のファンの速度、対象の温度、対象の湿度等を含んでもよい。マッピングは、（Ｓ，Ｔ）−＞Ｒを意味してもよく、ここで、Ｓは、ユニットの現在の状態であり、Ｔは、１つの測定値又は測定値のセットであり、Ｒは、ユニットが状態Ｓにあり、かつ測定値Ｔを受信すると仮定した態様である。
【００３６】
ステップ２０４では、ＨＶＡＣユニットの現在の動作状態は、維持されてもよく、例えば、対象の温度又は湿度コンプレッサーがオン又はオフであるかどうか、ファンの速度又はユニットの任意の他の動作パラメータを含む。
【００３７】
ステップ２０８では、センサ測定値は、温度測定値、湿度測定値等のように受信されてもよい。測定値は、ＨＶＡＣユニット、リモートコントロール、リモート部又は任意の他の位置に配置されるセンサから受信されてもよい。一部の例示的な実施形態では、測定値は、ＨＶＡＣユニットの内部センサ以外のセンサから受信される。
【００３８】
ステップ２１２では、ＨＶＡＣユニットによって取られる、要求される動作又は態様は、受信されたセンサ測定値及びＨＶＡＣユニットの現在の状態で決定されてもよい。要求される態様は、制御アルゴリズムで決定されてもよく、これは、時折変更されてもよく、システムのユーザに個人的に適合される等でもよい。一部の例示的な実施形態では、所望の態様は、複数の入力に基づいて決定されてもよく、複数の入力は、ステップ２０８のセンサ測定値、天候情報、オンラインで取得可能な情報、ユーザ又は同様のユーザによる相互作用の履歴データベース、現在の電気価格等であるが、これに限定されない。一部の例示的な実施形態では、要求される動作は、ユーザによって決定され、かつリモートコントロールによって提供される動作であってもよい。
【００３９】
ステップ２１６では、システムの現在の状態及び要求される態様を用いて、ステップ２００で取得されたマッピングの逆マッピングは、ＨＶＡＣユニットへ送信されるシミュレートされた測定値を決定するために用いられてもよい。
【００４０】
ステップ２２０では、合成測定値は、ＨＶＡＣユニットが配置される同じ部屋に位置する人を悩ませる又は妨害する可聴音又は他の合図の生成を回避するために、例えば、ｉＦｅｅｌメッセージを用いて、ＨＶＡＣユニットへ送信される。
【００４１】
本解決手段は、測定値を送信するままであり、ＨＶＡＣユニットに、ステップ２００で取得されるようなマッピングでの対応する態様を適用させるが、ステップ２１６で測定された、測定値案を送信することにより、当該ユニットに所望の態様を仮定させ、これにより、ＨＶＡＣユニットの制御アルゴリズムを“バイパスする”ことがわかるであろう。
【００４２】
更に、一部の実施形態では、本方法は、ｉＦｅｅｌメッセージ及び非ｉＦｅｅｌメッセージの両方を送信し、それにより、ＨＶＡＣユニットに、可聴又は他のユーザが気付くことができる合図を選択的に発生させることもわかるであろう。
【００４３】
ここで、図３を参照すると、開示される発明の主題の一部の実施形態に係る、ＨＶＡＣユニットの態様を制御するためのコントローラの概要図を示す。
【００４４】
一部の例示的な実施形態では、コントローラ３００は、搭載されたＨＶＡＣユニットに対するリモートコントロールの一部として、又は既存のリモートコントロールに追加する追加部品として実装されてもよい。ほとんどのＨＶＡＣシステムでは、新たなリモートコントロールが、以前のリモートコントロールと同一のプロトコルを用いて、ＨＶＡＣユニットへコマンドを送信する限り、リモートコントロールは、置き換えられてもよい。
【００４５】
コントローラ３００は、１以上のプロセッサ３０４を含んでもよい。プロセッサ３０４は、中央演算処理装置（Ｃｅｎｔｒａｌ  Ｐｒｏｃｅｓｓｉｎｇ  Ｕｎｉｔ（ＣＰＵ））、マイクロプロセッサ、電子回路、集積回路（Ｉｎｔｅｇｒａｔｅｄ  Ｃｉｒｃｕｉｔ（ＩＣ））等であってもよい。プロセッサ３０４は、コントローラ３００又はそのサブコンポーネントのいずれかによって要求される演算を行うために使用されてもよい。
【００４６】
本発明の主題の一部の例示的な実施形態では、コントローラ３００は、ディスプレイ、ボタン、ポインティングデバイス、キーボード、タッチスクリーン等のような入力／出力（Ｉｎｐｕｔ／Ｏｕｔｐｕｔ（Ｉ／Ｏ））デバイス３０８を含んでもよい。Ｉ／Ｏデバイス３０８は、また、ディスクドライブを備えてもよく、更新されたコンポーネントが受信されるストレージデバイス又はネットワークとの通信を提供してもよい。
【００４７】
コントローラ３００は、Ｉ／Ｏデバイス３０８の任意の１つ以上を用いてユーザに出力を提供する、及びユーザから入力を受信するために使用されてもよいＭＭＩモジュール３１２を備えてもよい。
【００４８】
一部の例示的な実施形態では、コントローラ３００は、ストレージデバイス３１６を備えてもよい。ストレージデバイス３１６は、ハードディスクドライブ、フラッシュディスク、ランダムアクセスメモリ（ＲＡＭ）、メモリチップ等であってもよい。一部の例示的な実施形態では、ストレージデバイス３１６は、コントローラ３００のサブコンポーネントのいずれかと関連付けられる動作をプロセッサ３０４が行わせるために動作可能なプログラムコードを保持してもよい。以下に詳細に説明されるコンポーネントは、例えば、プロセッサ３０４又は別のプロセッサによって実行される、相互に関係するコンピュータ命令の１以上のセットとして実装されてもよい。コンポーネントは、Ｓｍａｌｌｔａｌｋ、Ｃ＋＋等のようなオブジェクト指向プログラミング言語、“Ｃ”プログラミング言語又は同様のプログラミング言語のような従来の手順のプログラミング言語を含む、アセンブラ命令、命令セットアーキテクチャ（ｉｎｓｔｒｕｃｔｉｏｎ−ｓｅｔ−ａｒｃｈｉｔｅｃｔｕｒｅ（ＩＳＡ））命令、機械命令、機械依存命令、マイクロコード、ファーム命令、状態設定データ又は１以上のプログラミング言語の任意の組み合わせで書かれたソースコード又はオブジェクトコードのいずれかとして実装されてもよい。
【００４９】
ストレージデバイス３１６は、温度又は湿度センサのような１以上のセンサからの測定値を通信及び受信するためのセンサ通信モジュール３２０を備えてもよい。このような各センサは、コントローラ３００と共にあってもよく、又は、遠隔地、例えば、ＨＶＡＣユニット又は他の場所にあってもよい。一部の例示的な実施形態では、センサは、ＨＶＡＣユニットの外部にあってもよい。一部の例示的な実施形態では、センサは、ＨＶＡＣユニットが、例えば天候及び外の汚染データを監視するために搭載される部屋又は家屋の外側に配置されてもよい。センサは、ＨＶＡＣユニットに搭載されてもよく、又はＨＶＡＣユニットと配置されてもよい。センサは、ＨＶＡＣユニットと同じ部屋に配置されてもよい。一部の場合には、各センサは、異なる位置に配置されてもよい。
【００５０】
ストレージデバイス３１６は、例えば、ｉＦｅｅｌメッセージを用いて、コマンド又はデータをＨＶＡＣユニットに送信するためにＨＶＡＣ通信モジュール３２４を備えてもよい。ＨＶＡＣ通信モジュール３２４は、ＩＲ送信機、ＲＦ送信機等のようなＩ／Ｏデバイス３０８を使用してもよい。ＨＶＡＣ通信モジュール３２４は、ユーザに意図的にフィードバックを提供するためにＨＶＡＣユニットにより発せられる可聴音をＨＶＡＣユニットが発することなく、コマンドを無音で送信してもよい。
【００５１】
ストレージデバイス３１６は、ＨＶＡＣユニットの動作を記述するマッピングを取得するためのマッピング取得モジュールを備えてもよい。マッピングは、ＨＶＡＣユニットの状態及びＨＶＡＣユニットの動作の対を測定値へマッピングすることであってもよい（例えば、（Ｓ，Ｒ）−＞Ｔマッピング）。マッピングは、（Ｔ，Ｓ）−＞Ｒの逆マッピングであってもよい。マッピングは、例えば、コマンドを繰り返し送信し、サーバ等から推定される態様を検出することによって得られる、ファイルを通じ、ＭＭＩモジュール３１２を通じて、受信されてもよい。一部の例示的な実施形態では、マッピングは、対象となるＨＶＡＣユニットと同じ種類のＨＶＡＣユニット（例えば、図１の１０４）に関連するマッピングであってもよい。一部の例示的な実施形態では、取得されたマッピングは、要求に応じた逆ルックアップテーブルとして用いられてもよい（Ｔ，Ｓ）−＞Ｒマッピングであってもよい。追加又は代替的に、マッピングは、（Ｓ，Ｒ）−＞Ｔマッピングを示すルックアップテーブルであってもよい。
【００５２】
一部の例示的な実施形態では、マッピングは、自動的に検出されてもよい。動作（Ｓ）のためのコマンドは、測定値（Ｔ）と共にＨＶＡＣユニットへ送信されてもよい。ＨＶＡＣユニット又はＨＶＡＣユニットの近傍に配置されるセンサは、ＨＶＡＣユニットの応答（Ｒ）を決定するために用いられてもよい。一例として、センサは、ＨＶＡＣユニットのファンが動作するか否かを示す振動を検出してもよい。別の例として、マイクロフォンは、コンプレッサーがオン又はオフになることを示す音を検出するために用いられてもよい。測定値及び動作の異なる対（Ｔ，Ｓ）を送信することにより、（Ｔ，Ｓ）−＞Ｒマッピングは、自動的に判定され、（Ｓ，Ｒ）−＞Ｔマッピングを決定するために用いられてもよい。一部の例示的な実施形態では、マッピングの自動判定は、コントローラ３００が搭載された後に、特定のＨＶＡＣユニットに対して行われてもよい。追加又は代替的に、判定は、同様又は同じ種類の別のＨＶＡＣユニットに基づいて行われてもよく、コントローラ３００の搭載前に決定されてもよい。一部の場合には、コントローラ３００が配置された後、（例えば、サンプルの対を試し、期待されるような応答を検出し、ＨＶＡＣユニットの型式及びモデルを、当該ユニットのコントローラ３００に利用可能であるマップのものと比較することにより、）ＨＶＡＣユニットに関するマッピングが利用可能であるかどうかを自動的に決定してもよい。マッピングが利用可能である場合、使用されてもよい。そうでない場合、マッピングは、自動的に決定される。決定されたマッピングは、同一の型式及びモデルのＨＶＡＣユニットと相互作用するように配置される他のコントローラへ利用可能となるように保持されるサーバーのようなリモートロケーションへ送信されてもよい。
【００５３】
ストレージデバイス３１６は、条件のセットを与えられるＨＶＡＣユニットの動作を決定するために動作取得部３３２を備えてもよい。条件のセットは、ＨＶＡＣユニットの状態、センサ通信モジュール３２０によって得られる測定値を含んでもよい。一部の実施形態では、要求される動作又は態様は、外部決定に基づいて決定されてもよい。例えば、非常に暑い日に電力企業がその最大キャパシティに近いとき、スイッチをオフする又は供給障害を防ぐために、最も経済的なモード、例えば、ファンモードと考えられる特定のＨＶＡＣユニットへ指示するためのオプションを有してもよい。一部の例示的な実施形態では、電力消費のリアルタイムモニタリングを提供するスマートグリッド電力システムは、グリッドが最大キャパシティに到達したときにスイッチをオフにし、消費が閾値を下回るときに元に戻るようにＨＶＡＣユニットに指示してもよい。動作取得部３３２は、より適切な動作態様が決定されたとき、部屋の居住者が変わったとき、ＨＶＡＣユニットが追加又は除去されたとき等に、時間と共に置き換えられてもよいことが理解されるであろう。動作取得部３３２を更新することにより、ＨＶＡＣユニットの制御アルゴリズムは、変更されてもよい。動作取得部３３２は、インターネット又はコンピュータネットワークから新たなバージョンをダウンロードすること、外部ストレージデバイスから実行ファイルをコピーすること等により更新されてもよい。
【００５４】
ストレージデバイス３１６は、ＨＶＡＣユニットへ送信される、温度等のような合成測定値を決定するための測定値決定部３３６を備えてもよい。測定値決定部３３６は、動作取得部３３２により決定される動作、及びＨＶＡＣユニットの現在の状態に基づいて、決定するためにマッピング取得モジュール３２８により取得されるマッピングを使用してもよいことが理解されるであろう。
【００５５】
ストレージデバイス３１６は、ＨＶＡＣユニットの状態をモニターするように構成されるＨＶＡＣユニット状態モニター３３８を備えてもよい。一部の例示的な実施形態では、ＨＶＡＣユニット状態モニター３３８は、ＨＶＡＣユニットの振動をモニターする等のようにＨＶＡＣユニットの状態を推定するためにセンサ測定値を使用してもよい。追加又は代替的に、ＨＶＡＣユニット状態モニター３３８は、リモートコントロールのような他のソースからのＨＶＡＣユニットへのコマンドを受信するために、ＨＶＡＣユニットの対応する受信機の近傍に配置されるＩＲ受信機のようなＩ／Ｏデバイス３０８を使用してもよい。一部の場合には、ＨＶＡＣユニットにより発せられる可聴合図を識別すること等のセンサの測定値は、コントローラ３００によって受信されるコマンドがＨＶＡＣユニットによっても受信されるかどうかを判定するために用いられてもよい。
【００５６】
開示されるコントローラ及び方法は、置き換え可能な態様でＨＶＡＣユニットを制御するために提供され、よって、ユニット全体を置き換えず、かつ迷惑な音を発生せずに、古い又は非効率的なユニットの制御アルゴリズムを置き換える。
【００５７】
本発明は、システム、方法及び／又はコンピュータプログラム製品であってもよい。コンピュータプログラム製品は、プロセッサに本発明の態様を実行させるコンピュータ可読プログラム命令を有するコンピュータ可読記憶媒体（又はメディア）を含んでもよい。
【００５８】
コンピュータ可読記憶媒体は、命令実行デバイスによる使用のための命令を保持及び記憶しうる有形デバイスでありうる。コンピュータ可読記憶媒体は、例えば、電子ストレージデバイス、磁気ストレージデバイス、光学ストレージデバイス、電磁気ストレージデバイス、半導体ストレージデバイス又は前述の任意の適切な組み合わせであってもよいが、これに限定されない。コンピュータ可読記憶媒体のより具体的な例の非包括的なリストは、以下を含む：ポータブルコンピュータディスケット、ハードディスク、ランダムアクセスメモリ（ＲＡＭ）、リードオンリーメモリ（ＲＯＭ）、消去可能プログラム可能メモリ（ｅｒａｓａｂｌｅ  ｐｒｏｇｒａｍｍａｂｌｅ  ｒｅａｄ−ｏｎｌｙ  ｍｅｍｏｒｙ（ＥＰＲＯＭ又はフラッシュメモリ）、ポータブルコンパクトディスクリードオンリーメモリ（ＣＤ−ＲＯＭ）、デジタルバーサタイルディスク（ＤＶＤ）、フロッピーディスク、記録された命令を有する溝におけるパンチカード又は嵩上げ構造（ｒａｉｓｅｄ  ｓｔｒｕｃｔｕｒｅｓ）のような機械エンコードデバイス、及び前述の任意の適切な組み合わせ。本明細書に用いられるように、コンピュータ可読記憶媒体は、無線波又は他の自由に伝搬する電磁波、導波路又は他の伝送媒体を通じて伝搬する電磁波（例えば、光ファイバーケーブルを通過する光パルス）、又は配線を通じて伝送される電気信号のような一時的な信号であるとして解釈されない。
【００５９】
本明細書に記載されるコンピュータ可読プログラム命令は、例えば、インターネット、ローカルエリアネットワーク、ワイドエリアネットワーク及び／又は無線ネットワークのようなネットワークを介して、コンピュータ可読記憶媒体から各コンピュータ／プロセッシングデバイスへ、又は外部コンピュータ又は外部ストレージデバイスへダウンロードされうる。ネットワークは、銅製伝送ケーブル、光伝送ファイバ、無線伝送、ルータ、ファイアーウォール、スイッチ、ゲートウェイコンピュータ及び／又はエッジサーバを備えてもよい。各コンピュータ／プロセッシングデバイスにおけるネットワークアダプタカード又はネットワークインターフェースは、ネットワークからコンピュータ可読プログラム命令を受信し、各コンピュータ／プロセッシングデバイス内のコンピュータ可読記憶媒体における記憶のためのコンピュータ可読プログラム命令を転送する。
【００６０】
本発明の動作を実行するためのコンピュータ可読プログラム命令は、Ｓｍａｌｌｔａｌｋ、Ｃ＋＋等のようなオブジェクト指向プログラミング言語、“Ｃ”プログラミング言語又は同様のプログラミング言語のような従来の手順のプログラミング言語を含む、アセンブラ命令、命令セットアーキテクチャ（ｉｎｓｔｒｕｃｔｉｏｎ−ｓｅｔ−ａｒｃｈｉｔｅｃｔｕｒｅ（ＩＳＡ））命令、機械命令、機械依存命令、マイクロコード、ファーム命令、状態設定データ又は１以上のプログラミング言語の任意の組み合わせで書かれたソースコード又はオブジェクトコードのいずれかであってもよい。コンピュータ可読プログラム命令は、ユーザのコンピュータの全体、ユーザのコンピュータの一部、スタンドアローンソフトウェアパッケージとして、ユーザのコンピュータの一部及びリモートコンピュータの一部、又はリモートコンピュータ又はサーバーの全体で実行されてもよい。後者の状況では、リモートコンピュータは、ローカルエリアネットワーク（ＬＡＮ）又は広域エリアネットワーク（ＷＡＮ）を含む任意の種類のネットワークを通じてユーザのコンピュータに接続されてもよく、又は接続は、（例えば、インターネットサービスプロバイダを用いてインターネットを通じて）外部コンピュータとされてもよい。一部の実施形態では、本発明の態様を実行するために、例えば、プログラマブルロジック回路、フィールドプログラマブルゲートアレイ（ＦＰＧＡ）又はプログラマブルロジックアレイ（ＰＬＡ）を含む電子回路は、コンピュータ可読プログラム命令の状態情報を用いることによりコンピュータ可読プログラム命令を実行し、電子回路をパーソナライズしてもよい。
【００６１】
本発明の態様は、本発明の実施形態に係る、方法のフローチャート図及び／又はブロック図、装置（システム）、及びコンピュータプログラム製品を参照して本明細書に説明される。フローチャート図及び／又はブロック図の各ブロック、及びフローチャート図及び／又はブロック図のブロックの組み合わせは、コンピュータ可読プログラム命令によって実装されうることが理解されるであろう。
【００６２】
コンピュータ可読プログラム命令は、汎用コンピュータ、特殊用途コンピュータ又は機械を製造するための他のプログラマブルデータプロセッシング装置のプロセッサに提供されてもよく、コンピュータ又は他のプログラマブルデータプロセッシング装置のプロセッサを介して実行する命令が、フローチャート及び／又はブロック図のブロックで特定される機能／動作を実行するための手段を生成する。これらのコンピュータ可読プログラム命令は、また、コンピュータ、プログラマブルデータプロセッシング装置及び／又は特定の態様で機能するための他のデバイスを指示しうるコンピュータ可読記憶媒体に記憶されてもよく、記憶された命令を有するコンピュータ可読記憶媒体は、フローチャート及び／又はブロック図ブロックで特定される機能／動作の態様を実装する命令を含む製造者の条項を含む。
【００６３】
コンピュータ可読プログラム命令は、また、コンピュータ、他のプログラマブルデータプロセッシング装置又は一連の動作ステップをコンピュータに行わせる他のデバイス、他のプログラマブル装置又はコンピュータ実行処理を生成するための他のデバイスにロードされてもよく、コンピュータ、他のプログラマブル装置又は他のデバイスで実行する命令は、フローチャート及び／又はブロック図ブロックで特定される機能／動作を実行する。
【００６４】
図面におけるフローチャート及びブロック図は、本発明の各種実施形態に係るアーキテクチャ、機能及びシステムの可能な実行の動作、方法、及びコンピュータプログラム製品を示す。これについて、フローチャート又はブロック図における各ブロックは、特定の論理関数を実行する１以上の実行可能な命令を含む、モジュール、セグメント又は命令の一部を表してもよい。一部の代替の実施では、ブロックで述べられる機能は、図面で述べられた順序以外で生じてもよい。例えば、順に示される２つのブロックは、実際には、ほぼ同時に実行されてもよく、又はブロックは、含まれる機能に応じて逆の順序で実行される場合があってもよい。ブロック図及び／又はフローチャート図の各ブロック、及びブロック図及び／又はフローチャート図のブロックの組み合わせは、特定の機能又は動作を実行する又は特定用途ハードウェア及びコンピュータ命令の組み合せを事項する特定用途ハードウェアベースのシステムによって実行されうることも理解されるであろう。
【００６５】
本明細書で用いられる専門用語は、特定の実施形態を説明するためだけのものであり、本発明を限定するためのものではない。本明細書で用いられるような、単数形態（“１つ”（“ａ”，“ａｎ”及び“ｔｈｅ”））は、他で明確に示す文脈が無い限り、複数形態も同様に含むことを意図される。本明細書で用いられるときの用語“備える（ｃｏｍｐｒｉｓｅｓ）”及び／又は“含む（ｃｏｍｐｒｉｓｉｎｇ）”は、記述された構成、整数、ステップ、動作、要素及び／又は構成要素の存在を特定するが、１以上の他の構成、整数、ステップ、動作、要素、構成要素及び／又はそのグループの存在又は追加を除外するものではないことが更に理解されるであろう。
【００６６】
以下の特許請求の範囲における対応する構造、材料、動作、及び全てのミーンズ又はステッププラスファンクション要素の均等物は、具体的に請求されるような他の請求される要素と組み合わせた機能を実行するための任意の構造、材料又は動作を含むことを意図する。本発明の説明は、例示及び説明の目的のために示されているが、開示される形態での本発明を排除又は限定されることを意図するものではない。多くの変更及び変形は、本発明の範囲及び趣旨から逸脱せずに当業者によって明らかになるであろう。実施形態は、本発明の原理及び実際の用途を最も良く説明するために選択及び説明されており、検討される特定の使用に適するような各種変形による各種実施形態のために本発明を他の当業者が理解することを可能にする。
【図１】
2016530475.tif 000003
【図２】
2016530475.tif 000004
【図３】
2016530475.tif 000005
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
暖房、換気及び空調（Ｈｅａｔｉｎｇ  Ｖｅｎｔｉｌａｔｉｏｎ  ｏｒ  Ａｉｒ−Ｃｏｎｄｉｔｉｏｎｉｎｇ（ＨＶＡＣ））ユニットに向けられるセンサのセンサ測定値を取得するステップと、
プロセッサにより、前記センサ測定値に基づいて前記ＨＶＡＣユニットの状態を推定するステップと、
を備える方法。
【請求項２】
前記センサは、前記ＨＶＡＣユニットに搭載される振動センサである請求項１に記載の方法。
【請求項３】
前記推定するステップは、前記振動センサにより検出される振動に基づいて前記ＨＶＡＣユニットのファン速度を推定することを含む請求項２に記載の方法。
【請求項４】
前記推定するステップは、前記振動センサにより検出される振動に基づいて前記ＨＶＡＣユニットのファンが動作しているかどうかを推定することを含む請求項２に記載の方法。
【請求項５】
前記センサは、マイクロフォンである請求項１に記載の方法。
【請求項６】
前記推定するステップは、前記ＨＶＡＣユニットがコマンドを受信したことに応じて前記ＨＶＡＣユニットにより発せられる可聴音を前記マイクロフォンが検出したことに基づいて、前記ＨＶＡＣユニットに送信されたコマンドが前記ＨＶＡＣユニットにより受信されるかどうかを推定することを含む請求項５に記載の方法。
【請求項７】
前記推定するステップは、コンプレッサーがオン又はオフであることを示す前記マイクロフォンが検出する可聴音に基づいて、前記ＨＶＡＣユニットの前記コンプレッサーがオン又はオフであることを推定することを含む請求項５に記載の方法。
【請求項８】
前記ＨＶＡＣユニットの状態及び前記ＨＶＡＣユニットの動作の対と、測定値とのマッピングを取得するステップと、
前記ＨＶＡＣユニットの現在の状態に基づいて、前記ＨＶＡＣユニットにより取られる動作を決定するステップと、
前記ＨＶＡＣユニットへ送信されたときに、前記ＨＶＡＣユニットに前記動作を行なわせるように構成される合成測定値を前記マッピングから取得するステップと、
前記合成測定値を前記ＨＶＡＣユニットへ送信するステップと、
を更に備える請求項１に記載の方法。
【請求項９】
前記送信するステップは、ｉＦｅｅｌメッセージを前記ＨＶＡＣユニットへ送信することにより行われる請求項８に記載の方法。
【請求項１０】
前記ＨＶＡＣユニットは、第１の種類のメッセージを受信したときに可聴音を発するように構成され、前記ＨＶＡＣユニットは、第２の種類のメッセージを受信したときに可聴音を発することを防ぐように構成され、前記合成測定値を送信するステップは、前記第２の種類のメッセージを受信することにより行われる請求項８に記載の方法。
【請求項１１】
前記合成測定値は、温度測定値及び湿度測定値からなる群から選択される請求項８に記載の方法。
【請求項１２】
前記マッピングは、第２のマッピングの逆マッピングとして決定され、前記第２のマッピングは、前記ＨＶＡＣユニットの状態及び測定値の対を動作にマッピングする請求項８に記載の方法。
【請求項１３】
プロセッサ及びメモリを備える装置であって、前記プロセッサは、
暖房、換気及び空調（Ｈｅａｔｉｎｇ  Ｖｅｎｔｉｌａｔｉｏｎ  ｏｒ  Ａｉｒ−Ｃｏｎｄｉｔｉｏｎｉｎｇ（ＨＶＡＣ））ユニットに向けられるセンサのセンサ測定値を取得すること、及び
プロセッサにより、前記センサ測定値に基づいて前記ＨＶＡＣユニットの状態を推定すること
を実行するように構成される装置。
【請求項１４】
前記センサは、前記ＨＶＡＣユニットに搭載される振動センサである請求項１３に記載の装置。
【請求項１５】
前記推定することは、前記振動センサにより検出される振動に基づいて前記ＨＶＡＣユニットのファン速度を推定することを含む請求項１４に記載の装置。
【請求項１６】
前記推定することは、前記振動センサにより検出される振動に基づいて前記ＨＶＡＣユニットのファン速度を推定することを含む請求項１４に記載の装置。
【請求項１７】
前記センサは、マイクロフォンである請求項１３に記載の装置。
【請求項１８】
前記推定することは、前記ＨＶＡＣユニットがコマンドを受信したことに応じて前記ＨＶＡＣユニットにより発せられる可聴音を前記マイクロフォンが検出したことに基づいて、前記ＨＶＡＣユニットに送信されたコマンドが前記ＨＶＡＣユニットにより受信されるかどうかを推定することを含む請求項１７に記載の装置。
【請求項１９】
前記推定することは、コンプレッサーがオン又はオフであることを示す前記マイクロフォンが検出する可聴音に基づいて、前記ＨＶＡＣユニットの前記コンプレッサーがオン又はオフであることを推定することを含む請求項１７に記載の装置。
【請求項２０】
前記センサ測定値を取得することは、前記ＨＶＡＣユニットに搭載された振動センサ及び前記ＨＶＡＣユニットに向けられるマイクロフォンからのセンサ測定値を取得することを含み、前記推定することは、前記振動センサからの前記センサ測定値及び前記マイクロフォンからの前記センサ測定値に基づく請求項１３に記載の装置。
【請求項２１】
前記プロセッサは、
前記ＨＶＡＣユニットの状態及び前記ＨＶＡＣユニットの動作の対と、測定値とのマッピングを取得すること、
前記ＨＶＡＣユニットの現在の状態に基づいて、前記ＨＶＡＣユニットにより取られる動作を決定すること、
前記ＨＶＡＣユニットへ送信されたときに、前記ＨＶＡＣユニットに前記動作を行なわせるように構成される合成測定値を前記マッピングから取得すること、及び
前記合成測定値を前記ＨＶＡＣユニットへ送信すること
を更に実行するように構成される請求項１３に記載の装置。
【請求項２２】
前記送信することは、ｉＦｅｅｌメッセージを前記ＨＶＡＣユニットへ送信することにより行われる請求項２１に記載の装置。
【請求項２３】
前記ＨＶＡＣユニットは、第１の種類のメッセージを受信したときに可聴音を発するように構成され、前記ＨＶＡＣユニットは、第２の種類のメッセージを受信したときに可聴音を発することを防ぐように構成され、前記合成測定値を送信することは、前記第２の種類のメッセージを受信することにより行われる請求項２１に記載の装置。
【請求項２４】
前記合成測定値は、温度測定値及び湿度測定値からなる群から選択される請求項２１に記載の装置。
【請求項２５】
前記マッピングは、第２のマッピングの逆マッピングとして決定され、前記第２のマッピングは、前記ＨＶＡＣユニットの状態及び測定値の対を動作にマッピングする請求項２１に記載の装置。
【国際調査報告】
2016530475.tif 000006
2016530475.tif 000007
2016530475.tif 000008
2016530475.tif 000009
2016530475.tif 000010
2016530475.tif 000011
2016530475.tif 000012
2016530475.tif 000013
2016530475.tif 000014
2016530475.tif 000015